(57)【要約】【課題】パネル用架台に吹き上げ荷重が作用した場合であっても、パネル用架台の飛散を防止することが可能となるパネル用架台及びパネル用架台の取付構造を提供する。【解決手段】壁体６にパネル７を取り付けるためのパネル用架台１に関する。パネル７の設置に用いられて壁体６の支柱６１に取り付けられるパネル支持材２と、支柱６１にパネル支持材２の上部を固定する上部挟持部材４と、支柱６１にパネル支持材２の下部を固定する下部固定部材５とを備え、上部挟持部材４は、支柱６１を挟持して固定する挟持部４１と、支柱６１とパネル支持材２とを連結する連動固定具４６とを有し、連動固定具４６は、先端部に作用押圧部４７が設けられるとともに、中間部に支持支点４８が設けられ、パネル支持材２の上方向への移動により支持支点４８を支点として回動し、作用押圧部４７が支柱６１に押圧される。【選択図】図１
2014051815.tif 000002
【特許請求の範囲】
【請求項１】
壁体にパネルを取り付けるためのパネル用架台であって、
パネルの設置に用いられて壁体の支柱に取り付けられるパネル支持材と、前記支柱に前記パネル支持材の上部を固定する上部挟持部材と、前記支柱に前記パネル支持材の下部を固定する下部固定部材とを備え、
前記上部挟持部材は、前記支柱を挟持して固定する挟持部と、前記支柱と前記パネル支持材とを連結する連動固定具とを有し、
前記連動固定具は、先端部に作用押圧部が設けられるとともに、中間部に支持支点が設けられ、前記パネル支持材の上方向への移動により前記支持支点を支点として回動し、前記作用押圧部が前記支柱に押圧されること
を特徴とするパネル用架台。
【請求項２】
前記上部挟持部材は、前記支柱のフランジを上方又は側方から挟持して固定する前記挟持部と、前記挟持部から前記パネル支持材に延びるように設けられ、前記挟持部を介して前記支柱と前記パネル支持材とを連結する前記連動固定具とを有すること
を特徴とする請求項１記載のパネル用架台。
【請求項３】
前記パネル支持材は、所定の間隔をおいて設けられる複数の縦材と、前記複数の縦材を連結する複数の横材とを有し、
前記下部固定部材は、前記支柱のフランジを側方から挟持する取付金具と、前記取付金具を介して前記支柱と前記縦材とを連結し、前記壁体に対して前記パネル支持材の上部よりも下部の方を背面側に離間させる延長部が設けられた傾斜保持具とを有すること
を特徴とする請求項１又は２記載のパネル用架台。
【請求項４】
壁体にパネルを取り付けるためのパネル用架台の取付構造であって、
パネルの設置に用いられて壁体の支柱に取り付けられるパネル支持材の上部を前記支柱に固定する上部挟持部材と、前記支柱に前記パネル支持材の下部を固定する下部固定部材とを備え、
前記上部挟持部材は、前記支柱を挟持して固定する挟持部と、前記支柱と前記パネル支持材とを連結する連動固定具とを有し、
前記連動固定具は、先端部に作用押圧部が設けられるとともに、中間部に支持支点が設けられ、前記パネル支持材の上方向への移動により前記支持支点を支点として回動し、前記作用押圧部が前記支柱に押圧されること
を特徴とするパネル用架台の取付構造。
【請求項５】
前記上部挟持部材は、前記支柱のフランジを上方又は側方から挟持して固定する前記挟持部と、前記挟持部から前記パネル支持材に延びるように設けられ、前記挟持部を介して前記支柱と前記パネル支持材とを連結する前記連動固定具とを有すること
を特徴とする請求項４記載のパネル用架台の取付構造。
【発明の詳細な説明】
【技術分野】
【０００１】
本発明は、道路に沿って設置された防音壁等の壁体に、太陽光パネル等のパネルを取り付けるためのパネル用架台及びパネル用架台の取付構造に関するものである。
【背景技術】
【０００２】
従来より、道路に沿って設置された防音壁に太陽光パネルを取り付けることを目的として、特許文献１に開示されるようなパネル用架台及びパネル用架台の取付構造が提案されている。
【０００３】
特許文献１に開示されたパネル用架台及びパネル用架台の取付構造は、太陽光パネルとパネル用架台とを太陽光モジュールとして一体化し、太陽光モジュールに形設された係止部と、防音壁の防音パネル又は支柱に形設された鈎状の係止部とを嵌合させることで、防音壁の壁面に太陽光モジュールを固定するものである。
【先行技術文献】
【特許文献】
【０００４】
【特許文献１】特開平０９−２０９３１５号公報
【発明の概要】
【発明が解決しようとする課題】
【０００５】
太陽光パネル等のパネルは、図９に示すように、室外において防音壁等の壁体から離間させて取り付けられた場合に、壁体の側方からパネルに対して風が吹くことにより、パネルを持ち上げるように吹き上げ荷重Ｐが作用することになる。この吹き上げ荷重Ｐは、特に、パネルの上部よりも下部の方を背面側に離間させ、パネルを傾斜させて壁体に取り付けた場合に、パネルに対して大きく作用することになる。
【０００６】
特許文献１に開示されたパネル用架台は、太陽光パネルが防音壁から離間させて取り付けられるため、太陽光パネルを持ち上げるように吹き上げ荷重Ｐが作用するものである。このため、鈎状の係止部が防音パネルに形設された場合に、吹き上げ荷重Ｐにより持ち上げられた太陽光モジュールに形設された係止部に、防音パネルに形設された鈎状の係止部が引っ張られることになる。このとき、特に、既設の防音パネルにおいては、吹き上げ荷重Ｐが作用することが想定されておらず、壁面が薄板で構成されることが一般的であることから、鈎状の係止部が形設された部分において防音パネルの壁面が破損するおそれがあるという問題点があった。
【０００７】
また、特許文献１に開示されたパネル用架台は、太陽光モジュールを支柱に取り付ける場合に、支柱に鈎状の係止部を設けるものとしている。特許文献１には、支柱に設けられた鈎状の係止部の具体的な態様が開示されていないが、溶接等の難易度の高い作業は困難であるため、例えば、既設の防音壁の支柱に鈎状の係止部を設けるために、支柱に対して鈎状部材をボルト締結する等の作業を必要とすることが一般的である。このとき、支柱に対するボルト締結用の削孔が必要となるが、この削孔箇所で支柱に断面欠損が生じることになり、特に、断面欠損が想定されていない既設の支柱においては、断面欠損により支柱の強度が低下して、支柱が変形、破損するおそれがあるという問題点があった。
【０００８】
そこで、本発明は、上述した問題点に鑑みて案出されたものであり、その目的とするところは、壁体の支柱に対する削孔を必要とせずに、パネル用架台を支柱に取り付けることを可能とするパネル用架台及びパネル用架台の取付構造を提供することにある。
【課題を解決するための手段】
【０００９】
第１発明に係るパネル用架台は、壁体にパネルを取り付けるためのパネル用架台であって、パネルの設置に用いられて壁体の支柱に取り付けられるパネル支持材と、前記支柱に前記パネル支持材の上部を固定する上部挟持部材と、前記支柱に前記パネル支持材の下部を固定する下部固定部材とを備え、前記上部挟持部材は、前記支柱を挟持して固定する挟持部と、前記支柱と前記パネル支持材とを連結する連動固定具とを有し、前記連動固定具は、先端部に作用押圧部が設けられるとともに、中間部に支持支点が設けられ、前記パネル支持材の上方向への移動により前記支持支点を支点として回動し、前記作用押圧部が前記支柱に押圧されることを特徴とする。
【００１０】
第２発明に係るパネル用架台は、第１発明において、前記上部挟持部材は、前記支柱のフランジを上方又は側方から挟持して固定する前記挟持部と、前記挟持部から前記パネル支持材に延びるように設けられ、前記挟持部を介して前記支柱と前記パネル支持材とを連結する前記連動固定具とを有することを特徴とする。
【００１１】
第３発明に係るパネル用架台は、第１発明又は第２発明において、前記パネル支持材は、所定の間隔をおいて設けられる複数の縦材と、前記複数の縦材を連結する複数の横材とを有し、前記下部固定部材は、前記支柱のフランジを側方から挟持する取付金具と、前記取付金具を介して前記支柱と前記縦材とを連結し、前記壁体に対して前記パネル支持材の上部よりも下部の方を背面側に離間させる延長部が設けられた傾斜保持具とを有することを特徴とする。
【００１２】
第４発明に係るパネル用架台の取付構造は、壁体にパネルを取り付けるためのパネル用架台の取付構造であって、パネルの設置に用いられて壁体の支柱に取り付けられるパネル支持材の上部を前記支柱に固定する上部挟持部材と、前記支柱に前記パネル支持材の下部を固定する下部固定部材とを備え、前記上部挟持部材は、前記支柱を挟持して固定する挟持部と、前記支柱と前記パネル支持材とを連結する連動固定具とを有し、前記連動固定具は、先端部に作用押圧部が設けられるとともに、中間部に支持支点が設けられ、前記パネル支持材の上方向への移動により前記支持支点を支点として回動し、前記作用押圧部が前記支柱に押圧されることを特徴とする。
【００１３】
第５発明に係るパネル用架台の取付構造は、第４発明において、前記上部挟持部材は、前記支柱のフランジを上方又は側方から挟持して固定する前記挟持部と、前記挟持部から前記パネル支持材に延びるように設けられ、前記挟持部を介して前記支柱と前記パネル支持材とを連結する前記連動固定具とを有することを特徴とする。
【発明の効果】
【００１４】
第１発明〜第５発明によれば、支柱の背面側フランジに対する溶接及び削孔作業を必要とせずに支柱の背面側フランジを挟持して、パネル用架台を新設又は既設の壁体の支柱に取り付けることが可能となる。特に、既設の壁体においては、支柱に対する削孔による断面欠損等が許容されない場合が多く、このような既設の壁体においても、溶接等の難易度の高い作業を必要としないだけでなく、壁体の支柱に対する削孔をも必要としないで、容易に取り付けることのできるパネル用架台及びパネル用架台の取付構造を提供することが可能となる。
【００１５】
また、第１発明〜第５発明によれば、支柱の背面側フランジを上部挟持部材で強固に挟み込むことができ、吹き上げ荷重によりパネル支持材が上方に浮き上がることを抑制して、パネルが取り付けられたパネル用架台の周囲への飛散を防止することのできるパネル用架台及びパネル用架台の取付構造を提供することが可能となる。
【図面の簡単な説明】
【００１６】
【図１】本発明に係るパネル用架台が取り付けられた防音壁を示す斜視図である。
【図２】本発明に係るパネル用架台を支柱に取り付けた状態を示す正面図である。
【図３】本発明に係るパネル用架台を支柱に取り付けた状態を示す側方断面図である。
【図４】本発明に係るパネル用架台の取付構造の上部挟持部材を示す平面図である。
【図５】本発明に係るパネル用架台の取付構造の上部挟持部材を示す側面図である。
【図６】本発明に係るパネル用架台の取付構造の下部固定部材を示す側面図である。
【図７】本発明に係るパネル用架台に吹き上げ荷重が作用した場合における、本発明に係るパネル用架台の取付構造の上部挟持部材を示す側面図である。
【図８】本発明に係るパネル用架台の取付構造の他の実施形態における上部挟持部材を示す側面図である。
【図９】防音壁に取り付けられた太陽光パネルに作用する吹き上げ荷重を説明するための説明図である。
【発明を実施するための形態】
【００１７】
以下、本発明を適用したパネル用架台及びパネル用架台の取付構造を実施するための形態について、図面を参照しながら詳細に説明する。
【００１８】
本発明を適用したパネル用架台１は、図１に示すように、道路に沿って設置された防音壁等の壁体６に、太陽光パネル等のパネル７を取り付けるために用いられる。
【００１９】
壁体６は、金属製の複数の防音パネルから構成される壁面６０と、道路の側方に間隔をおいて設置された複数の支柱６１とを備える。パネル７は、道路側を正面側、道路側と反対側を背面側とした場合に、壁体６の背面側において、本発明を適用したパネル用架台１に、ボルト、ビス等を用いて取り付けられて固定される。
【００２０】
支柱６１は、壁体６の厚さ方向に間隔をおいて設けられた一対のフランジと、これら一対のフランジを連結するウェブとを備えるＨ形鋼が用いられる。支柱６１は、上下方向を長手方向として、道路の側方で間隔をおいて隣り合う複数の支柱６１の一対のフランジの間に、複数の防音パネルから構成される壁面６０を落とし込むことができるように設置される。支柱６１は、これに限らず、本発明を適用したパネル用架台１を取り付けることができるものであれば、如何なる形状であってもよい。
【００２１】
本発明を適用したパネル用架台１は、図２に示すように、壁体６の背面側において、パネル７が取り付けられるパネル支持材２と、本発明を適用したパネル用架台１の取付構造３とを備える。本発明を適用したパネル用架台１は、本発明を適用したパネル用架台１の取付構造３を用いることにより、パネル支持材２を支柱６１に取り付けるものである。
【００２２】
パネル支持材２は、各々の支柱６１に沿うように上下方向を長手方向として、間隔をおいて設置される複数の縦材２１と、これらの縦材２１の上部、中間部及び下部を水平方向に連結する複数の横材２２とを備える。パネル支持材２は、これに限らず、間隔をおいて設置される複数の縦材２１を、如何なる態様の横材２２で連結するものであってもよい。
【００２３】
縦材２１は、側方の一面が開口された溝形の軽量形鋼が用いられ、横材２２は、角型の軽量形鋼が用いられる。縦材２１及び横材２２は、これに限らず、ボルト、ビス等を用いてパネル７を取り付けて固定することができるものであれば、如何なる形状及び材質であってもよい。
【００２４】
本発明を適用したパネル用架台１の取付構造３は、図３に示すように、パネル支持材２の各々の縦材２１の上部を支柱６１に固定する上部挟持部材４と、パネル支持材２の各々の縦材２１の下部を支柱６１に固定する下部固定部材５とを備える。
【００２５】
本発明を適用したパネル用架台１の取付構造３は、これに限らず、パネル支持材２の複数の縦材２１の上部を連結する横材２２を支柱６１に固定する上部挟持部材４と、パネル支持材２の複数の縦材２１の中間部又は下部を連結する横材２２を支柱６１に固定する下部固定部材５とを備えるものとしてもよい。
【００２６】
本発明を適用したパネル用架台１は、太陽光の入射角度に応じて、パネル支持材２の上部よりも下部の方を壁体６の背面側に離間させ、パネル支持材２を上方から下方にかけて壁体６の背面側に傾斜させて固定することで、パネル支持材２に取り付けられる太陽光パネルの発電効率を向上させることが可能となる。
【００２７】
上部挟持部材４は、図４に示すように、支柱６１を挟持して固定する挟持部４１と、挟持部４１と縦材２１とを連結する連動固定具４６とを備える。上部挟持部材４は、金属製のものが用いられ、支柱６１の背面側フランジ６１ａを挟持部４１で挟み込むようにして、支柱６１の上方から取り付けられる。上部挟持部材４は、これに限らず、支柱６１の背面側フランジ６１ａを側方から挟持部４１で挟み込むようにして取り付けられてもよい。
【００２８】
挟持部４１は、図４及び図５に示すように、平板状の平板部４２と、連動固定具４６を両側から挟み込み、平板部４２と連動固定具４６とを連結して支持する支持部４３と、支柱６１の背面側フランジ６１ａを挟み込むための挟持ボルト４４と、挟持ボルト４４が取り付けられる貫通穴４５ａが形成された４つの固定部４５とを備える。挟持部４１は、さらに、支持部４３の下部において、載置部４１ａを備えるものとすることもできる。
【００２９】
挟持部４１は、支柱６１の一対のフランジの内側において、平板部４２が支柱６１のウェブ６１ｂを上方から跨いだ状態で、平板部４２を支柱６１の背面側フランジ６１ａの内側の側面に沿わせて取り付けられる。挟持部４１は、支柱６１の一対のフランジの外側において、各々の固定部４５にネジ切りして形成された貫通穴４５ａに挟持ボルト４４を螺合することにより、支柱６１の背面側フランジ６１ａの外側の側面を挟持ボルト４４の先端部で押した状態で取り付けられる。
【００３０】
挟持部４１は、平板部４２と挟持ボルト４４の先端部とで、支柱６１の背面側フランジ６１ａを削孔することなく、内側及び外側から挟み込むことにより、支柱６１を挟持して固定するものである。挟持部４１は、これにより、支柱６１の如何なる部位においても削孔することを必要とせず、支柱６１に上部挟持部材４を取り付けることを可能とするものである。
【００３１】
挟持部４１は、支柱６１の一対のフランジの間において、平板部４２と壁面６０との間に板バネ６２が挿入され、壁面６０を板バネ６２で壁体６の正面側に寄せるとともに、平板部４２を板バネ６２で支柱６１の背面側フランジ６１ａに押した状態で取り付けられる。挟持部４１は、これに限らず、平板部４２と壁面６０との間に板バネ６２を挿入しないものとすることもできる。
【００３２】
挟持部４１は、連動固定具４６を支持部４３で両側から挟み込み、支持ボルト４３ａと支持ナット４３ｂとを用いて、連動固定具４６を上下方向に回動可能な状態で固定するものである。挟持部４１は、支持部４３に設けられた凸部４３ｃによって、連動固定具４６の側方への移動を制限することができる。挟持部４１は、これに限らず、凸部４３ｃに代替して樹脂性の座金等を支持部４３に設けることもできる。
【００３３】
挟持部４１は、平時において、連動固定具４６の下面を載置することができるように、載置部４１ａの上面を傾斜させて載置部４１ａが設けられる。載置部４１ａは、連動固定具４６の基端部の下方への回動を制限するために設けられる。
【００３４】
連動固定具４６は、図５に示すように、先端部に設けられた作用押圧部４７と、中間部に設けられた支持支点４８と、基端部に設けられた取付部４９とを備える。連動固定具４６は、取付ボルト４９ａと取付ナット４９ｂとを用いて、取付部４９が縦材２１の側面に取り付けられ、上下方向に回動可能な状態で連動固定具４６を縦材２１に固定するものである。
【００３５】
連動固定具４６は、挟持部４１の支持ボルト４３ａと支持ナット４３ｂとによって、挟持部４１の支持部４３に取り付けられ、支持支点４８において上下方向に回動可能な状態で固定される。連動固定具４６は、支柱６１の背面側フランジ６１ａに対向する部位において、先端部が円弧状に形成され、円弧状に形成された先端部に鋸歯状の作用押圧部４７が設けられる。連動固定具４６は、これに限らず、鋸歯状となっていない作用押圧部４７であってもよい。
【００３６】
下部固定部材５は、図６に示すように、支柱６１の背面側フランジ６１ａを挟み込む取付金具５１と、縦材２１を傾斜させた状態で、取付金具５１と縦材２１とを連結する傾斜保持具５５とを備える。
【００３７】
取付金具５１は、支柱６１の背面側フランジ６１ａを側方から挟み込んだ状態で、ネジ切りされた貫通穴５１ａにボルト５２が螺合され、支柱６１の背面側フランジ６１ａの外側の側面をボルト５２で押し込んで固定するものである。取付金具５１は、これにより、支柱６１の如何なる部位においても削孔することを必要とせず、支柱６１に下部固定部材５を取り付けることを可能とするものである。
【００３８】
傾斜保持具５５は、上下方向に回動可能な状態で先端部が取付金具５１に取り付けられ、基端部が縦材２１の側面において回動することのないように固定される。傾斜保持具５５は、縦材２１を上部から下部にかけて傾斜させ、縦材２１の上部よりも下部の方が壁体６の背面側に離間された状態で、支柱６１と縦材２１とを連結する延長部５６が設けられる。延長部５６は、所望の縦材２１の傾斜角度に応じた長さで設けられる。
【００３９】
本発明を適用したパネル用架台１は、本発明を適用したパネル用架台１の取付構造３を用いることにより、支柱６１の背面側フランジ６１ａに対する溶接及び削孔作業を必要とせずに、上部挟持部材４の挟持部４１と下部固定部材５の取付金具５１とで支柱６１の背面側フランジ６１ａを挟持して、新設又は既設の壁体６の支柱６１に取り付けることができる。これにより、本発明を適用したパネル用架台１は、特に、既設の壁体６において、支柱６１に対する削孔による断面欠損等が許容されない場合においても、溶接等の難易度の高い作業を必要としないだけでなく、支柱６１に対する削孔をも必要としないで、壁体６の支柱６１に容易に取り付けることが可能となる。
【００４０】
また、本発明を適用したパネル用架台１は、本発明を適用したパネル用架台１の取付構造３を用いることにより、吹き上げ荷重Ｐに対する十分な強度を備えた支柱６１に取り付けることができる。これにより、本発明を適用したパネル用架台１は、パネル用架台１を壁面６０に直接取り付けることを必要とせず、吹き上げ荷重Ｐが作用してパネル用架台１が浮き上がろうとする場合において、壁面６０の一部がパネル用架台１に引っ張られることを回避することができ、壁面６０が変形、破損することを回避することが可能となる。
【００４１】
本発明を適用したパネル用架台１は、平時において、図５に示すように、連動固定具４６の鋸歯状の作用押圧部４７と支柱６１の背面側フランジ６１ａとが離間した状態で、支柱６１の背面側フランジ６１ａに上部挟持部材４が取り付けられる。本発明を適用したパネル用架台１は、連動固定具４６の鋸歯状の作用押圧部４７と支柱６１の背面側フランジ６１ａとが離間した状態で、上部挟持部材４の連動固定具４６に縦材２１が取り付けられ、挟持部４１を介して支柱６１と縦材２１とが連結される。
【００４２】
本発明を適用したパネル用架台１は、図７に示すように、パネル支持材２を持ち上げるように吹き上げ荷重Ｐが作用した場合において、縦材２１が上方向に移動することになる。このとき、本発明を適用したパネル用架台１は、連動固定具４６の基端部が取付部４９において回転しながら持ち上がるとともに、連動固定具４６の先端部の作用押圧部４７が連動固定具４６の支持支点４８を支点として回転しながら下方向に移動する。
【００４３】
本発明を適用したパネル用架台１は、連動固定具４６の先端部の作用押圧部４７が下方向に回転しながら移動することで、連動固定具４６の鋸歯状の作用押圧部４７が支柱６１の背面側フランジ６１ａに接近することになる。本発明を適用したパネル用架台１は、連動固定具４６の先端部の作用押圧部４７が所定の角度だけ回転することで、連動固定具４６の鋸歯状の作用押圧部４７が支柱６１の背面側フランジ６１ａに接触する。このとき、連動固定具４６の鋸歯状の作用押圧部４７は、支柱６１の背面側フランジ６１ａの表面に食い込むことになり、支柱６１の背面側フランジ６１ａからの上部挟持部材４の離脱を防止することが可能となる。
【００４４】
さらに、本発明を適用したパネル用架台１は、縦材２１を持ち上げるように作用する吹き上げ荷重Ｐにより、連動固定具４６の取付部４９を力点とするとともに、連動固定具４６の支持支点４８を支点として、連動固定具４６の基端部が回転するように持ち上がる。このとき、本発明を適用したパネル用架台１は、連動固定具４６の作用押圧部４７を作用点として、連動固定具４６がテコのように働いて、連動固定具４６の先端部が回転しながら下方向に移動し、連動固定具４６の作用押圧部４７が支柱６１の背面側フランジ６１ａを押圧することになる。
【００４５】
本発明を適用したパネル用架台１は、連動固定具４６の作用押圧部４７が支柱６１の背面側フランジ６１ａを押圧することで、挟持部４１の平板部４２と連動固定具４６の作用押圧部４７とで、支柱６１の背面側フランジ６１ａを強固に挟み込むことができ、吹き上げ荷重Ｐによりパネル支持材２が上方に浮き上がることを抑制することができる。
【００４６】
これにより、本発明を適用したパネル用架台１は、本発明を適用したパネル用架台１の取付構造３を用いることにより、吹き上げ荷重Ｐによってパネル支持材２が上方に浮き上がることを抑制して、パネル７が取り付けられたパネル用架台１の周囲への飛散を防止することが可能となる。
【００４７】
次に、本発明を適用したパネル用架台１の他の実施形態について、図面を参照しながら詳細に説明する。なお、上述した構成要素と同一の構成要素については、同一の符号を付すことにより以下での説明を省略する。
【００４８】
本発明を適用したパネル用架台１は、他の実施形態において、図８に示すように、支柱６１を挟持して固定する挟持部４１と、支柱６１と縦材２１とを連結する連動固定具４６とが、個別に構成された上部挟持部材４を備える。
【００４９】
挟持部４１は、支柱６１の背面側フランジ６１ａを側方から挟み込む取付金具８１と、支柱６１と縦材２１とを離間させた状態で、取付金具８１と縦材２１とを連結する傾斜保持具８５とを備える。挟持部４１は、下部固定部材５と同様に、支柱６１の背面側フランジ６１ａに取付金具８１を挟み込み、取付金具８１のネジ切りされた貫通穴にボルトを螺合して、支柱６１の背面側フランジ６１ａの外側の側面をボルトで押し込んで固定するものである。傾斜保持具８５は、上下方向に回動可能な状態で先端部が取付金具８１に取り付けられ、上下方向に回動可能な状態で基端部が縦材２１の側面に取り付けられる。
【００５０】
連動固定具４６は、先端部に設けられた作用押圧部４７と、中間部に設けられた支持支点４８と、基端部に設けられた取付部４９とを備える。連動固定具４６は、取付部４９が縦材２１の上端部に取り付けられ、取付ボルト４９ａと取付ナット４９ｂとを用いて、上下方向に回動可能な状態で連動固定具４６を縦材２１に固定するものである。
【００５１】
連動固定具４６は、支持支点４８において上下方向に回動可能な状態で固定され、支柱６１の背面側フランジ６１ａに接触する部位において、先端部が円弧状に形成され、円弧状に形成された先端部に鋸歯状の作用押圧部４７が設けられる。
【００５２】
本発明を適用したパネル用架台１は、他の実施形態においても、パネル支持材２を持ち上げるように吹き上げ荷重Ｐが作用した場合において、縦材２１が上方向に移動することになる。このとき、本発明を適用したパネル用架台１は、連動固定具４６の取付部４９が上方向に持ち上がるとともに、連動固定具４６の支持支点４８を支点として、連動固定具４６の作用押圧部４７が支柱６１の背面側フランジ６１ａを内側及び外側から挟み込むように押圧する。
【００５３】
本発明を適用したパネル用架台１は、他の実施形態においても、連動固定具４６の鋸歯状の作用押圧部４７が支柱６１の背面側フランジ６１ａの表面に食い込むことになり、支柱６１の背面側フランジ６１ａからの上部挟持部材４の離脱を防止することが可能となる。また、本発明を適用したパネル用架台１は、他の実施形態においても、連動固定具４６の作用押圧部４７が支柱６１の背面側フランジ６１ａを内側及び外側から挟み込むように押圧することで、支柱６１の背面側フランジ６１ａを強固に挟み込むことができ、吹き上げ荷重Ｐによりパネル支持材２が上方に浮き上がることを抑制することができる。
【００５４】
これにより、本発明を適用したパネル用架台１は、他の実施形態においても、本発明を適用したパネル用架台１の取付構造３を用いることにより、吹き上げ荷重Ｐによってパネル支持材２が上方に浮き上がることを抑制して、パネル７が取り付けられたパネル用架台１の周囲への飛散を防止することが可能となる。
【００５５】
本発明を適用したパネル用架台１は、他の実施形態においても、本発明を適用したパネル用架台１の取付構造３を用いることにより、特に、既設の壁体６において、支柱６１に対する削孔による断面欠損等が許容されない場合においても、溶接等の難易度の高い作業を必要としないだけでなく、支柱６１に対する削孔をも必要としないで、壁体６の支柱６１に容易にパネル用架台１を取り付けることが可能となる。
【００５６】
以上、本発明の実施形態の例について詳細に説明したが、上述した実施形態は、何れも本発明を実施するにあたっての具体化の例を示したものに過ぎず、これらによって本発明の技術的範囲が限定的に解釈されてはならないものである。
【符号の説明】
【００５７】
１        ：パネル用架台
２        ：パネル支持材
２１      ：縦材
２２      ：横材
３        ：パネル用架台の取付構造
４        ：上部挟持部材
４１      ：挟持部
４１ａ    ：載置部
４２      ：平板部
４３      ：支持部
４３ａ    ：支持ボルト
４３ｂ    ：支持ナット
４３ｃ    ：凸部
４４      ：挟持ボルト
４５      ：固定部
４５ａ    ：貫通穴
４６      ：連動固定具
４７      ：作用押圧部
４８      ：支持支点
４９      ：取付部
４９ａ    ：取付ボルト
４９ｂ    ：取付ナット
５        ：下部固定部材
５１      ：取付金具
５１ａ    ：取付金具の貫通穴
５２      ：ボルト
５５      ：傾斜保持具
５６      ：延長部
６        ：壁体
６０      ：壁面
６１      ：支柱
６１ａ    ：背面側フランジ
６１ｂ    ：ウェブ
６２      ：板バネ
７        ：パネル
８１      ：取付金具
８５      ：傾斜保持具
【図１】
2014051815.tif 000003
【図２】
2014051815.tif 000004
【図３】
2014051815.tif 000005
【図４】
2014051815.tif 000006
【図５】
2014051815.tif 000007
【図６】
2014051815.tif 000008
【図７】
2014051815.tif 000009
【図８】
2014051815.tif 000010
【図９】
2014051815.tif 000011